(57)【要約】【課題】所望の強度を得るとともに好適なアンテナの使用を可能とする。【解決手段】携帯端末（１０）は、ディスプレイパネル（２１）と筐体（３０）との接合状態において内部空間の上端部及び下端部にそれぞれ固定配置される樹脂製の第１の芯材（４０）及び第２の芯材（５０）を含み、第１及び第２の芯材のそれぞれは、筐体（３０）の内面（３０ａ１）に向かうとともにアンテナ導体（６０，７０）が形成された面（４０ｂ、５０ｂ）を含む。【選択図】図２
2020150468.tif 000002
【特許請求の範囲】
【請求項１】
ディスプレイパネルと、
前記ディスプレイパネルと接合されて、回路基板を含む部品を収容する内部空間を形成する樹脂製の筐体と、
前記内部空間の上端部において前記ディスプレイパネルの背面側に配置された、前記部品のうちの第１の部品と前記筐体の内面との間に固定配置される樹脂製の第１の芯材と、
前記内部空間の下端部において前記ディスプレイパネルの背面側に配置された、前記部品のうちの第２の部品と前記筐体の内面との間に固定配置される樹脂製の第２の芯材と、を含み、
前記第１の芯材は、前記第１の部品に向かう正面と、前記筐体の前記内面に向かうとともに第１のアンテナ導体が形成された背面とを有し、
前記第２の芯材は、前記第２の部品に向かう正面と、前記筐体の前記内面に向かうとともに第２のアンテナ導体が形成された背面を有する、
携帯端末。
【請求項２】
前記第１の芯材と前記第２の芯材との間にある前記内部空間の中間部にバッテリが配置されている
請求項１に記載の携帯端末。
【請求項３】
前記第２のアンテナ導体の一部は、前記第２の芯材の前記背面と連続する前記第２の芯材の下端面に延びている
請求項１又は２に記載の携帯端末。
【請求項４】
前記第２の芯材は、前記筐体のガイド部によって筐体内をその上下方向にスライド移動可能であり、前記筐体内を下向きにスライド移動させた場合に、前記内部空間の下端部において、前記第２の芯材の幅方向の両端部と前記筐体内に形成された係合部とが係合して前記第２の芯材が前記筐体内に固定される
請求項１から３のいずれか１項に記載の携帯端末。
【発明の詳細な説明】
【技術分野】
【０００１】
本発明は、携帯端末に関する。
【背景技術】
【０００２】
従来、筐体内にアンテナを内蔵した携帯端末装置がある（例えば、特許文献１参照）。
【先行技術文献】
【特許文献】
【０００３】
【特許文献１】特開２０１３−１８７８８４号公報
【発明の概要】
【発明が解決しようとする課題】
【０００４】
第５世代通信（５Ｇ）では、スマートフォンやタブレット端末などのスマートデバイスなどを含む携帯端末について高いアンテナ性能が要求されている。このため、携帯端末の筐体は、金属に比べてアンテナに与える影響の少ない樹脂製とすることが考えられている。しかし、筐体の材質に樹脂材料を使用する場合、ヒケ発生への対策として筐体の肉厚が均一になるように成形する必要がある等、製造に係る制約が多い。
【０００５】
本発明は、上記問題に鑑みなされたものであり、所望の強度を得られるとともにアンテナを好適に使用することのできる携帯端末を提供することを目的とする。
【課題を解決するための手段】
【０００６】
本発明は、携帯端末である。この携帯端末は、ディスプレイパネルと、前記ディスプレイパネルの背面と接合されて、回路基板を含む部品を収容する内部空間を形成する樹脂製の筐体と、
前記内部空間の上端部において前記ディスプレイパネルの背面側に配置された、前記部品のうちの第１の部品と前記筐体の内面との間に固定配置される樹脂製の第１の芯材と、
前記内部空間の下端部において前記ディスプレイパネルの背面側に配置された、前記部品のうちの第２の部品と前記筐体の内面との間に固定配置される樹脂製の第２の芯材と、を含み、
前記第１の芯材は、前記第１の部品に向かう正面と、前記筐体の前記内面に向かうとともに第１のアンテナ導体が形成された背面とを有し、
前記第２の芯材は、前記第２の部品に向かう正面と、前記筐体の前記内面に向かうとともに第２のアンテナ導体が形成された背面を有する。
【発明の効果】
【０００７】
本発明によれば、所望の強度を得られるとともにアンテナを好適に使用することができる。
【図面の簡単な説明】
【０００８】
【図１】図１は、携帯端末の構成例を示す。
【図２】図２は、携帯端末の分解斜視図（背面側から見た場合）を示す。
【図３】図３は、携帯端末の分解斜視図（正面側から見た場合）を示す。
【図４】図４は、第１シャーシの構成例を示す図である。
【図５】図５は、第２シャーシの構成例を示す図である。
【図６】図６は、第２シャーシの下端面を見た図である。
【図７】図７は、第２シャーシの別の実施形態を示す。
【図８】図８は、筐体に対する第２シャーシの取り付け方法を説明する図である。
【図９】図９は、筐体に対する第２シャーシの取り付け方法を説明する図である。
【図１０】図１０は、筐体に固定配置された第１シャーシ及び第２シャーシを平面視した様子を示す。
【図１１】図１１は、携帯端末の上端部の断面を示す図である。
【図１２】図１２は、携帯端末の下端部の断面を示す図である。
【発明を実施するための形態】
【０００９】
実施形態に係る携帯端末は、以下を含む。
（１）ディスプレイパネル。
（２）ディスプレイパネルと接合されて、回路基板を含む部品を収容する内部空間を形成する樹脂製の筐体。
（３）内部空間の上端部においてディスプレイパネルの背面側に配置された、部品のうちの第１の部品と筐体の内面との間に固定配置される樹脂製の第１の芯材。
（４）前記内部空間の下端部において前記ディスプレイパネルの背面側に配置された、前記部品のうちの第２の部品と前記筐体の内面との間に固定配置される樹脂製の第２の芯材。
そして、第１の芯材は、第１の部品に向かう正面と、筐体の前記内面に向かうとともに第１のアンテナ導体が形成された背面とを有し、第２の芯材は、第２の部品に向かう正面と、筐体の内面に向かうとともに第２のアンテナ導体が形成された背面を有する。
【００１０】
携帯端末によれば、第１及び第２の芯材が筐体内に固定配置されることで、ヒケ対策のために肉厚を均一にした筐体であっても、衝撃に対して所望の剛性を得ることができる。また、アンテナ導体が絶縁体である樹脂製の第１及び第２の芯材の背面に形成されることで、アンテナ導体は回路基板を含む部品と逆の面を向くこととなる。これによって、回路基板やディスプレイなどのノイズ発生源となる導体部品からアンテナを遠ざけることができるため、アンテナの特性を好適な状態とすることができる。すなわち、所望の強度を得られるとともにアンテナを好適に使用することができる。
【００１１】
携帯端末において、第１の芯材と第２の芯材との間にある内部空間の中間部に携帯端末のバッテリが配置されている、構成を採用してもよい。バッテリも導体部品であるため、上記構成を採用すれば。内部空間の上下方向においてバッテリからアンテナ導体を遠ざけることとなる。これにより、アンテナを好適に使用可能となる。
【００１２】
第１の芯材及び第２の芯材のそれぞれに形成されるアンテナ導体は、同じ無線通信規格に適合又は準拠したものでも、それぞれ異なる無線通信規格に適合又は準拠したものでもよい。また、第１の芯材及び第２の芯材の少なくとも一方に、２種類以上のアンテナ導体が形成されてもよい。第２の芯材に形成されたアンテナ導体の一部は、第２の芯材の背面から第２の芯材の下端面に延びている構成、換言すれば、アンテナ導体が背面と下端面とを跨がる状態としてもよい。背面及び下端面は、アンテナ導体が形成された面（アンテナ面）の一例である。下端面は、「背面と異なる面」の一例であり、必ずしも下端面でなくともよい。二つのアンテナ面は電波放射範囲を広げる観点では直交しているのが好ましいが、直角より大きい又は小さい適宜の角度に設定し得る。アンテナ導体の形状（アンテナパターン）は、所望の波長の電波を送受信できる限りにおいて、適宜の形状を選択することができる。また、第１の芯材及び第２の芯材に夫々形成されるアンテナ導体の数は、１又は２以上の適宜の数を採り得る。
【００１３】
また、携帯端末において、第２の芯材は、筐体のガイド部によって筐体内をその上下方向にスライド移動可能であり、筐体内を下向きにスライド移動させた場合に、内部空間の下端部において、第２の芯材の幅方向の両端部と筐体内に形成された係合部とが係合して
第２の芯材が筐体内に固定される、構成を採用してもよい。
【００１４】
以下、図面を参照して、実施形態に係る端末装置について説明する。実施形態の構成は例示であり、本発明は、実施形態の構成に限定されない。
【００１５】
＜端末装置の構成＞
図１は携帯端末１０の外観構成を説明する図であり、図１Ａは携帯端末１０の正面１０ａの外観を示し、図１Ｂは携帯端末１０の背面１０ｂの外観を示す。図２は、携帯端末１０の分解斜視図（背面側から見た場合）を示し、図３は、携帯端末１０の分解斜視図（正面側から見た場合）を示す。実施形態に係る携帯端末１０は、スマートフォンであるが、スマートフォン以外の携帯端末（例えばタブレット端末など）であってもよい。
【００１６】
図１〜３に示すように、携帯端末１０は、上下方向（長手方向：Ｙ方向）、幅方向（短手方向：Ｘ方向）、及び厚み方向（Ｚ方向）を有する正面矩形の平板状に形成されている。携帯端末１０は、ディスプレイパネル２１と、ディスプレイパネル２１と接合される筐体３０とを有する。筐体３０は、ハウジング、ケース、カバーなどとも呼ばれる。携帯端末１０は、ディスプレイパネル２１に筐体３０を接合することによって形成された内部空間に、部品２３、バッテリ２４、第１シャーシ４０、第２シャーシ５０を収容してなる。第１シャーシ４０は「第１の芯材」の一例であり、第２シャーシ５０は「第２の芯材」の一例である。なお、第１シャーシ４０は第１の中子、第２シャーシ５０は第２の中子とも呼ばれる。
【００１７】
携帯端末１０の正面１０ａをなすディスプレイパネル２１の正面２１ａには、その全体に亘ってディスプレイ画面（スクリーン）が設けられており、正面１０ａの上端部には、レシーバ２２が設けられている（図１Ａ参照）。
【００１８】
また、携帯端末１０の背面１０ｂをなす筐体３０の壁には、複数の孔１１ａ、１２ａ、１３ａが形成され、指紋センサ１１、ライトフラッシュパネル１２、カメラパネル１３のそれぞれが露出している（図２、図１Ｂ参照）。また、携帯端末１０の右側面をなす筐体３０の側壁３０ｂにも孔１４ａ、１５ａが形成され、ボタン１４及びボタン１５が筐体３０の内部から突出している（図３、図１Ｂ参照）。
【００１９】
ディスプレイパネル２１の背面側には、部品２３（「回路基板を含む部品」の一例）が配置される。本実施形態では、部品２３は、上側部品２３ａ（第１の部品の一例）と下側部品２３ｂ（第２の部品の一例）とを含む。上側部品２３ａ及び下側部品２３ｂの夫々は回路基板を含んでいるが、双方が回路基板を含むことは必須ではない。上側部品２３ａに含まれる回路基板には、上述した指紋センサ１１、ライト、カメラや、プロセッサ、メモリ、電波の変復調回路など、携帯端末１０が持つ様々な機能を実行する集積回路（ＭＣＵ（マイクロプロセッシングユニット）など）が搭載されている。また、携帯端末１０の下端面には、充電やデータの読み書きに使用されるＵＳＢコネクタ（メス型）や、イヤホンジャックの孔や、マイクロフォンの孔が設けられている。ディスプレイユニット２０の背面側には、携帯端末１０の電源となるバッテリ２４が配置される。なお、ディスプレイパネル２１、部品２３は、第１シャーシ４０及び第２シャーシ５０から見た場合の正面側部材２０である。
【００２０】
図３に示すように、筐体３０は、携帯端末１０の背面１０ｂをなす壁（底壁３０ａと称する）と、底壁３０ａの外縁から携帯端末１０の正面へ向かって立ち上がる矩形の環状の側壁３０ｂとが樹脂成形により一体に形成されてなる。底壁３０ａの内面３０ａ１と、側壁３０ｂの内面３０ｂ１とにより凹部３１が形成されている。
【００２１】
側壁３０ｂの上端部には、側壁内面３０ｂ１から突出するフランジ（リブ）３０ｃが形成されている（図８Ｂ、図１１、図１２参照）。リブ３０ｃは、携帯端末１０のＸ方向及びＹ方向の同一平面上に配置されており、ディスプレイパネル２１と筐体３０とを接合する場合に、ディスプレイパネル２１の背面２１ｂの外縁部２１ｃと当接する。リブ３０ｃと外縁部２１ｃとの当接部分を接着テープ３０ｄ（図１２）などで接着することによって、ディスプレイパネル２６と筐体３０とが接合される。但し、ディスプレイパネル２１と筐体３０との接合方法は、上記以外の方法であってもよい。
【００２２】
筐体３０とディスプレイパネル２１との接合時には、中空の内部空間Ｓが形成され、この内部空間Ｓに、部品２３及びバッテリ２４が収容される。この内部空間を埋めるように、第１シャーシ４０と、第２シャーシ５０とが設けられる。
【００２３】
図４は第１シャーシ４０の構成例を示す図である。図４Ａは第１シャーシ４０の正面図であり、図４Ｂは第１シャーシ４０の背面図である。第１シャーシ４０は樹脂製であり、上側部品２３ａに向けられる正面４０ａと、筐体３０の内面３０ａ１に向けられる背面４０ｂと有する。第１シャーシ４０は、上側部品２３ａの表面形状に合わせた凹凸や孔、リブなどを有する立体形状を有する。第１シャーシ４０の背面４０ｂには、所定の無線通信規格に応じたアンテナ導体６０（第１のアンテナ導体の一例）が形成されている。アンテナ導体６０は、所定のアンテナパターンを有するアンテナ導体６０ａ、６０ｂを含む。
【００２４】
図５は、第２シャーシ５０の構成例を示す図である。図５Ａは第２シャーシ５０の正面図であり、図５Ｂは第２シャーシ５０の背面図である。第２シャーシ５０も樹脂製であり、下側部品２３ｂに向けられる正面５０ａと、筐体３０の内面３０ａ１に向けられる背面５０ｂと有する。第２シャーシ５０は、ＵＳＢコネクタやイヤホンジャックの孔の形状に合わせた凹凸や孔、リブなどを有する立体形状を有する。例えば、第２シャーシ５０の中央部には、オス型のＵＳＢコネクタが挿入される孔を規定する部品５０ｅが形成されている。部品５０ａは、挿入されたオス型のＵＳＢコネクタが内部をこじる状態となった場合に、そのコネクタのねじれや回転を抑えて、メス型コネクタの形状や接点配置に障害が生じるのを回避可能とする。第２シャーシ５０の背面５０ｂには、所定の無線通信規格に応じたアンテナ導体７０（第２のアンテナ導体の一例）が形成されている。
【００２５】
図６は、第２シャーシ５０の下端面を見た図である。第２シャーシ５０は、背面５０ｂと連続して略直角に折れ曲がる下端面が形成されている。本実施形態では、コネクタの孔を規定する部品５０ｅを挟んで、下端面５０ｃ、５０ｄが形成されている。アンテナ導体７０は、第２シャーシ５０の背面５０ｂと下端面５０ｃ、５０ｄに跨がるように形成されている。換言すれば、アンテナ導体７０の一部が背面５０ｂから下端面５０ｃ、５０ｄに延びている。アンテナ導体６０及びアンテナ導体７０は、部品２３に含まれる給電回路や変復調回路と接続されている。下端面５０ｃ、５０ｄは、「背面と異なる面」の一例である。なお、背面５０ｂと下端面５０ｃ、５０ｄとがなす角度は、本実施形態では９０°であるが、９０°より大きくても小さくてもよい。もっとも、三次元空間内でアンテナの電波放射範囲を広げる観点では、アンテナ導体が二つの面に跨がり、各面がアンテナ面をなす場合、これらの二面は直交している（ほぼ９０°である）のが好ましい。
【００２６】
図７は、第２シャーシの別の実施形態（第２シャーシ５０Ａ）を示す。第２シャーシ５０Ａでは、アンテナ導体７０Ａが背面５０ｂに形成され、下端面には形成されていない。好適な無線環境が得られる限りにおいて、このような形態も適用し得る。
【００２７】
なお、筐体３０、第１シャーシ４０、第２シャーシ５０のそれぞれは、ガラス繊維強化プラスチックである。筐体３０は、ポリアミド（ＰＡ）とガラス繊維との混合プラスチックである。第１シャーシ４０及び第２シャーシ５０は、ポリカーボネート（ＰＣ）とＡＢ
Ｓ樹脂とガラス繊維との混合プラスチックであるが、配合比や材料の種類が異なる。筐体３０、第１シャーシ４０、第２シャーシ５０は、樹脂製である限りにおいて、上記以外の材料により形成されたものであってもよい。
【００２８】
無線通信規格は、３Ｇ（Ｗ−ＣＤＭＡなど）、４Ｇ（ＬＴＥなど）、無線ＬＡＮ（Ｗｉ−Ｆｉ）、５Ｇ、Bluetooth（登録商標）、ＢＬＥ、Zigbeeなどであるが、これらに制限
されない。また、アンテナ導体６０、７０の形成方法は、金属材料のメッキ、スパッタリング、蒸着法、導電性材料の印刷など、既存の様々な形成技術を適用し得る。
【００２９】
図８及び図９は、筐体３０に対する第２シャーシ５０の取り付け方法を説明する図である。図８Ａは、筐体３０の凹部３１内に第２シャーシ５０を置いた状態を示す平面図であり、図８Ｂは、図８ＡのＡ−Ａ線での切断面を示す。図９Ａは、第２シャーシ５０を筐体３０内でスライド移動させた後の状態を示し、図９Ｂは、図９ＡのＢ−Ｂ線での切断面を示す。図１０は、筐体３０に固定配置された第１シャーシ４０及び第２シャーシ５０を平面視した様子を示す。図１１は、携帯端末１０の上端部の断面を示す図であり、図１２は、携帯端末１０の下端部の断面を示す図である。図１１及び図１２は、ディスプレイパネル２１と筐体３０との接合によって形成された内部空間Ｓに配置された第１シャーシ４０及び第２シャーシ５０の様子を示す。
【００３０】
図８、図９、図１０に示すように、第２シャーシ５０の幅方向（Ｘ方向）の寸法（前者）と、携帯端末１０の右側面及び左側面をなす側壁３０ｂ、３０ｂ間の距離（後者）とはほぼ同じ（後者が前者よりやや長い）に形成されている。このため、筐体３０の内面３０ａ１を上に向けて平らな場所に置き、第２シャーシ５０の幅方向を筐体３０の幅方向に合わせて置くと、第２シャーシ５０は、筐体３０のＹ軸と第２シャーシ５０のＹ軸とが一致するとともに、ＸＹ平面で殆ど回転しない状態で凹部３１内に収容される。この状態においては、筐体３０の左右の側面をなす側壁３０ｂ、３０ｂがガイド部となって、第２シャーシ５０は筐体３０の下端部へ向かって容易にスライド可能な状態となる。筐体３０の下端部には、押さえ部材３３（リブ、フランジともいう）が側壁３０ｂの内面から凹部３１内に向かって突出している。
【００３１】
第２シャーシ５０を下向きに移動させて、その下端部がこれ以上下方へ移動しない位置までスライドさせると、第２シャーシ５０の有する溝３３ａ（図６参照）にリブ３３が嵌合する。また、図１２の断面図に示すように、第２シャーシ５０の下端面は、側壁３０ｂの内面３０ｂ１と当接状態となり、接着テープ３５を介して接着される。また、第２シャーシ５０の上端面は、内面３０ａ１から突出する突起３４と当接する。このようにして、第２シャーシ５０が筐体３０に対して固定配置された状態となる。突起３４によって、第２シャーシ５０の上方への移動が禁止され、オス型のＵＳＢコネクタの挿入時に、第２シャーシ５０が押し込まれて上側へ移動するのを禁止する。第２シャーシ５０の背面５０ｂは、筐体３０の内面３０ａ１と密着又は密接する面を有し、筐体３０に固定されることによって、筐体３０と一体となる。
【００３２】
また、第１シャーシ４０は、図１０に示すように、筐体３０の上端部に配置される。このとき、第１シャーシ４０の背面４０ｂは、筐体３０の内面３０ａ１に接着テープで接着される。これによって、第１シャーシ４０は、筐体３０の凹部３１の上端部に固定配置される。筐体３０の凹部３１内に第１シャーシ４０及び第２シャーシ５０が固定配置された状態において、部品２３及びバッテリ２４が積層され、さらにディスプレイパネル２１が筐体３０と位置を合わせて重ねられ、これらの縁部が接着されて筐体３０とディスプレイパネル２１とが接合される。もちろん、第１シャーシ４０、第２シャーシ５０、部品２３、バッテリ２４、ディスプレイパネル２１は、接合の前に、適宜の部分で電気的に接続される。このようにして、第２シャーシ５０は、筐体３０とディスプレイパネル２１との接
合時に内部空間Ｓの下端部に固定配置される（図１２）。また、第１シャーシ４０は、筐体３０とディスプレイパネル２１との接合時に内部空間Ｓの上端部に固定配置される（図１１）。第１シャーシ４０及び第２シャーシ５０が固定配置されることで、携帯端末１０に対する外部からの衝撃および圧縮方向の力に対し、両持ち構造で受ける配置構成になるため、筐体３０とともに一定の剛性（強度）を示す状態となる。
【００３３】
＜実施形態の効果＞
携帯端末１０は、ディスプレイパネル２１と、ディスプレイパネル２１の背面２１ｂと接合されて、回路基板を含む部品２３を収容する内部空間Ｓを形成する樹脂製の筐体３０とを含む。また、携帯端末１０は、内部空間Ｓの上端部においてディスプレイパネル２１の背面側に配置された、部品２３のうちの第１の部品２３ａと筐体３０の内面３０ａ１との間に固定配置される樹脂製の第１シャーシ４０を含む。また、携帯端末１０は、内部空間Ｓの下端部においてディスプレイパネル２１の背面側に配置された、部品２３のうちの下側部品２３ｂと筐体３０の内面３０ａ１との間に固定配置される樹脂製の第２シャーシ５０を含む。第１シャーシ４０は、上側部品２３ａに向かう正面４０ａと、筐体３０の内面３０ａに向かうとともに第１のアンテナ導体６０が形成された背面４０ｂとを有する。また、第２シャーシ５０は、下側部品２３ｂに向かう正面５０ａと、筐体３０の内面３０ａに向かうとともにアンテナ導体７０が形成された背面５０ｂを有する。
【００３４】
携帯端末１０によれば、第１シャーシ４０及び第２シャーシ５０が筐体３０内で固定配置されることで、携帯端末１０に対する外部からの衝撃に対し、筐体３０とともに一定の剛性（強度）を示す状態となる。すなわち、肉厚を均一にした筐体３０を採用しても、所望の剛性（強度）を得ることができる。また、第１シャーシ４０は筐体３０に接着するだけであり、第２シャーシ５０は、筐体３０の下端部へスライド移動させることで固定配置される。このように組み立てにおいても簡便な作業で済む。また、アンテナ導体６０，７０は、部品２３に含まれる回路やバッテリ２４などの導体部品から遠ざけられた状態で、絶縁体である第１シャーシ４０や第２シャーシ５０を挟んで配置された状態となるため、導体部品の影響を受けにくい。よって、好適な環境でアンテナを使用し得る。
【００３５】
また、第２シャーシ５０の背面５０ｂ及び下端面５０ｃ、５０ｄにもアンテナ導体７０が形成され得る。これにより、波長に応じた適正なアンテナ導体の長さを確保することができる。また、下端面５０ｃ、５０ｄはバッテリ２４から遠ざけられた位置にあるので、バッテリ２４からの影響を受けにくい。
【００３６】
上述したように、第２シャーシ５０は、筐体３０内をその上下方向（Ｙ方向）にスライド移動可能であり、筐体３０内の下端部へスライド移動させた場合に、第２シャーシ５０の幅方向の両端部に設けられた溝３３ａと筐体３０に形成されたリブ３３（係合部）とが係合して第２シャーシ５０の背面５０ｂの一部が筐体３０に固定される。以上説明した実施形態の構成は適宜組み合わせることができる。
【符号の説明】
【００３７】
１０・・・携帯端末
２１・・・ディスプレイパネル
３０・・・筐体
４０・・・第１シャーシ
５０・・・第２シャーシ
６０，７０・・・アンテナ導体
【図１】
2020150468.tif 000003
【図２】
2020150468.tif 000004
【図３】
2020150468.tif 000005
【図４】
2020150468.tif 000006
【図５】
2020150468.tif 000007
【図６】
2020150468.tif 000008
【図７】
2020150468.tif 000009
【図８】
2020150468.tif 000010
【図９】
2020150468.tif 000011
【図１０】
2020150468.tif 000012
【図１１】
2020150468.tif 000013
【図１２】
2020150468.tif 000014